(57)【要約】【課題】  様々な太さのパイプに複数の磁気流体活性化装置を連結して取り付ける磁気流体活性化装置の取付具を提供することを課題としている。【解決手段】取付部１１ａによって磁気によりパイプ内を流通する流体を活性化する磁気流体活性化装置１側に着脱自在に取り付けられ、且つ連結部１１ｂによって互いに連結が可能なジョイント１１と、複数の磁気流体活性化装置１をパイプ１８の周方向に配置して相互に連結締着するようにジョイント１１同士を連結する複数の連結具１６とから磁気流体活性化装置の取付具を構成する。【選択図】図４
2005313103.tif 000002
【特許請求の範囲】
【請求項１】
磁気によりパイプ内を流通する流体を活性化する磁気流体活性化装置（１）側に着脱自在に取り付けられる取付部（１１ａ）と、互いに連結が可能な連結部（１１ｂ）とを有する複数のジョイント（１１）と、ジョイント（１１）同士を連結する複数の連結具（１６）とからなり、複数の磁気流体活性化装置（１）をパイプ（１８）の周方向に配置して相互に連結締着することによりパイプ（１８）側に取り付ける磁気流体活性化装置の取付具。
【請求項２】
磁気によりパイプ内を流通する流体を活性化する磁気流体活性化装置（１）側に着脱自在に取り付けられる取付部（１１ａ）と、互いに連結が可能な連結部（１１ｂ）とを有する複数のジョイント（１１）と、ジョイント（１１）同士を連結する複数の連結具（１６）と、ジョイント（１１）と連結具（１６）を介して連結された複数の磁気流体活性化装置（１）のうち両端に位置する磁気流体活性化装置（１Ｅ）同士をジョイント（１１）を介して又は直接連結する補助的な連結具とからなり、複数の磁気流体活性化装置（１）をパイプ（１８）の周方向に配置して相互に連結締着することによりパイプ（１８）側に取り付ける磁気流体活性化装置の取付具。
【請求項３】
補助的な連結具を、両端に磁気流体活性化装置（１）側への取付部（２１）を備え、パイプ（１８）に沿って湾曲又は屈曲したプレート（１９）から構成し、長さが異なる複数の補助的な連結具を予め備えた請求項２の磁気流体活性化装置の取付具。
【請求項４】
補助的な連結具を、中間部分の少なくとも１ヶ所で屈曲又は湾曲し、連結距離調節が可能な棒体（２３）から構成した請求項２の磁気流体活性化装置の取付具。
【請求項５】
棒体（２３）を３個のロッド（２４），（２７）を順に回動自在に軸支した構成とし、両端のロッド（２４）の端部側をネジ構造とした請求項４の磁気流体活性化装置の取付具。
【請求項６】
ジョイント（１１）が、略Ｌ字状に湾曲又は屈曲したプレートからなる請求項１又は２又は３又は４又は５の磁気流体活性化装置の取付具。
【発明の詳細な説明】
【技術分野】
【０００１】
本発明は、磁気によりパイプ内を流通する流体を活性化する磁気流体活性化装置の取付具に関する。
【背景技術】
【０００２】
従来磁気流体活性化装置をパイプに取り付ける取付具として、磁気流体活性化装置をパイプに締結する締結バンドや、２つの磁気流体活性化装置をパイプを挟んで対向させて取り付ける取付ユニットが公知となっている（例えば特許文献１及び２参照）。
【特許文献１】特許第３４２９２２８号公報
【特許文献２】特開２００１−３２７９７２号公報
【発明の開示】
【発明が解決しようとする課題】
【０００３】
通常磁気流体活性化装置を１つ取り付けただけではパイプ内を流通する流体の活性化効果が低いような太いパイプの場合、上記取付ユニットによって該パイプを挟持するように２つの磁気流体活性化装置を取り付ける。しかしパイプサイズが特に大きくなると、パイプを挟持するように２つの磁気流体活性化装置を取り付けることができないケースが発生する。この場合は、結果的に磁気流体活性化装置を有効に取り付けることが困難となるという問題点があった。
【課題を解決するための手段】
【０００４】
上記課題を解決するための本発明の磁気流体活性化装置の取付具は、磁気によりパイプ内を流通する流体を活性化する磁気流体活性化装置１側に着脱自在に取り付けられる取付部１１ａと、互いに連結が可能な連結部１１ｂとを有する複数のジョイント１１と、ジョイント１１同士を連結する複数の連結具１６とからなり、複数の磁気流体活性化装置１をパイプ１８の周方向に配置して相互に連結締着することによりパイプ１８側に取り付けることを第１の特徴としている。
【０００５】
第２に磁気によりパイプ内を流通する流体を活性化する磁気流体活性化装置１側に着脱自在に取り付けられる取付部１１ａと、互いに連結が可能な連結部１１ｂとを有する複数のジョイント１１と、ジョイント１１同士を連結する複数の連結具１６と、ジョイント１１と連結具１６を介して連結された複数の磁気流体活性化装置１のうち両端に位置する磁気流体活性化装置１Ｅ同士をジョイント１１を介して又は直接連結する補助的な連結具とからなり、複数の磁気流体活性化装置１をパイプ１８の周方向に配置して相互に連結締着することによりパイプ１８側に取り付けることを特徴としている。
【０００６】
第３に補助的な連結具を、両端に磁気流体活性化装置１側への取付部２１を備え、パイプ１８に沿って湾曲又は屈曲したプレート１９から構成し、長さが異なる複数の補助的な連結具を予め用意したことを特徴としている。
【０００７】
第４に補助的な連結具を、中間部分の少なくとも１ヶ所で屈曲又は湾曲し、連結距離調節が可能な棒体２３から構成したことを特徴としている。
【０００８】
第５に棒体２３を３個のロッド２４，２７を順に回動自在に軸支した構成とし、両端のロッド２４の端部側をネジ構造としたことを特徴としている。
【０００９】
第６にジョイント１１が、略Ｌ字状に湾曲又は屈曲したプレートからなることを特徴としている。
【発明の効果】
【００１０】
以上のように複数のジョイントと連結具とからなる本発明の取付具によると、簡単に複数の磁気流体活性化装置をパイプの周方向に配置してパイプ側に取り付けることができ、パイプ内を流通する流体の活性効果を向上させることができるという効果がある。ジョイントを略Ｌ字状に湾曲又は屈曲したプレートから構成することによって、ジョイントを簡単に構成することができるという利点がある。
【００１１】
一方ジョイントと連結具を介して連結された複数の磁気流体活性化装置のうち両端に位置する磁気流体活性化装置同士をジョイントを介して又は直接連結する補助的な連結具を設ける場合は、パイプサイズ等により連結の両端に位置する磁気流体活性化装置同士をジョイントと連結具とで連結することができないケースにおいて、上記補助的な連結具で上記磁気流体活性化装置同士を連結することができる。
【００１２】
これにより様々な径のパイプ周りに複数の磁気流体活性化装置を容易に取り付けることができる。ただしパイプサイズ等により連結の両端の磁気流体活性化装置間の連結距離（長さ）は変化する。このため上記補助的な連結具を、両端に磁気流体活性化装置側への取付部を備えたプレートから構成する場合は、予め用意される複数の長さが異なる補助的な連結具から適した長さのものを選択して使用することによって、パイプサイズ等に応じてパイプ周りへの取り付けを簡単に行うことができる。
【００１３】
なお上記補助的な連結具を、中間部分の少なくとも１ヶ所で屈曲又は湾曲し、連結距離調節が可能な棒体から構成すると、連結の両端の磁気流体活性化装置間の連結距離（長さ）に応じて連結調節具自体の長さを調節することによって、上記両磁気流体活性化装置を容易に連結することができる。特に棒体を３個のロッドを順に回動自在に軸支した構成とし、両端のロッドの端部側をネジ構造とすることにより、調節連結具をパイプに円滑に沿わせることができ美観が向上する他、ロッドの端部側のネジ構造によって連結調節具自体の長さ調節を簡単に行うことができるという利点がある。
【発明を実施するための最良の形態】
【００１４】
図１は、磁気によりパイプ内を流通する流体を活性化する磁気流体活性化ユニット１の正面斜視である。該磁気流体活性化ユニット１は、１００００〜１２０００ガウスの磁石３と、該磁石３を挟持するように上記磁石３に取り付けられるコンセントレータ４とによって構成される磁気活性体６をケース７に収容した従来公知の構造となっている。ケース７の左右にはフランジ８が設けられている。各フランジ８には、磁気流体活性化ユニット１をパイプに取り付けるための取付具用の取付孔９が複数設けられている。
【００１５】
図２は、複数の磁気流体活性化ユニット１を連結するためのジョイント１１の斜視図である。ジョイント１１は略Ｌ字状に屈曲したプレートからなる。一端側に上記フランジ８の取付孔９に対応するようにボルト孔１２が設けられている。ジョイント１１のボルト孔１２とフランジ８の取付孔９を使用することによって、図３に示されるように、ボルト１４でジョイント１１をフランジ８にボルト固定することができる。
【００１６】
ジョイント１１の他端側にはジョイント１１同士を連結するためにボルトを挿通することができる連結ボルト孔１３が設けられている。連結ボルト孔１３は連結に使用するボルトに対してバカ穴となっている。連結ボルト孔１３に挿入されるボルトは、ネジの外径と連結ボルト孔径との誤差分ガタがある。
【００１７】
ジョイント１１は、上記のようにＬ字型プレートの一端側がフランジ８に着脱自在に取り付けられる取付部１１ａ、他端側がブラケット１１同士を連結するための連結部１１ｂとなっている。連結部１１ｂの連結ボルト孔１３にボルトを挿入し、且つ該ボルトを他のジョイント１１の連結部１１ｂに挿入し、ナットで固定することによって、複数のジョイント１１をボルト１６によって互いに連結することができる。
【００１８】
これにより図５に示されるように、磁気流体活性化ユニット１のケース７の左右のフランジ８にジョイント１１をボルト１４によって取り付け、複数の磁気流体活性化ユニット１のジョイント１１同士をボルト１６とナット１７とによって連結することによって、複数の磁気流体活性化ユニット１が連結される。
【００１９】
そして大径のパイプ１８の周面にコンセントレータ４を密着させるように、複数の磁気流体活性化ユニット１をパイプ１８の周面に配置し、連結されたジョイント１１同士をボルト１６とナット１７によって締め付けることで、複数の磁気流体活性化ユニット１をパイプ１８の周方向取り付けることができる。
【００２０】
つまり複数のジョイント１１とボルト１６とによって、複数の磁気流体活性化ユニット１を、パイプ１８の周方向に配置して相互に連結締着することによりパイプ１８側に巻き付け状態で取り付ける磁気流体活性化ユニットの取付具が構成される。
【００２１】
これにより複数の磁気流体活性化ユニット１を、磁気流体活性化ユニット１を１つ取り付けただけではパイプ内を流通する流体の活性化効果が低いような太いパイプ１８にも簡単に取り付けることができ、パイプ１８内を流通する流体の活性効果を向上させることができる。なおジョイント１１は略Ｌ字状に湾曲又は屈曲したプレートによって簡単に構成され、ジョイント１１にかかるコストは低い。
【００２２】
一方パイプ１８のサイズによっては、ジョイント１１によって連結された複数の磁気流体活性化ユニット１をパイプ１８の周方向に各配置すると、連結の両端に位置する磁気流体活性化ユニット１Ｅの間の距離が、ジョイント１１とボルト１６による連結が不可能な長さとなる場合がある。
【００２３】
これに対して本磁気流体活性化ユニット１の取付具は、上記ジョイント１１とボルト１６の他、連結の両端に位置する磁気流体活性化ユニット１Ｅ同士を連結する補助的な連結具となる連結プレート１９を備えている（図５，図６参照）。
【００２４】
図５に示されるように、連結プレート１９は、パイプ１８に沿うように円弧状に湾曲したプレートからなり、両端に磁気流体活性化ユニット１に着脱自在に取り付けられる取付部２１が構成されている。取付部２１には、磁気流体活性化ユニット１のブラケット８の取付孔９に対応するようにボルト孔２２が設けられている。
【００２５】
フランジ８の取付孔９と取付部２１のボルト孔２２とによって連結プレート１９はボルト１４を介してフランジ８に着脱自在に取り付けられる。なお連結プレート１９は、長さが異なる複数のものが予め用意されている。
【００２６】
これにより図６に示されるように、前述のように連結された複数の磁気流体活性化ユニット１をパイプ１８の周方向に各配置し、連結の両端に位置する磁気流体活性化ユニット１Ｅの間の距離が、ジョイント１１とボルト１６による連結が不可能な長さとなる場合は、上記距離に対応する長さの連結プレート１９を用い、該連結プレート１９の両端の取付部２１を両磁気流体活性化ユニット１Ｅのフランジ８に固定することによって、複数の磁気流体活性化ユニット１がパイプ１８の周方向に締め付け状態で取り付けられる。
【００２７】
一方補助的な連結具として、図７に示されるような棒体であるジョイントロッド２３を使用することもできる。該ジョイントロッド２３は、２本のボルト２４と、各ボルト２４のヘッド２４ａ側に一体的に設けられるブラケット２６と、両ブラケット２６を連結するロッド２７とからなる。
【００２８】
ブラケット２６はボルト２４の突出方向の反対側に、所定の間隔で対向する壁部２６ａが設けられている。両壁部２６ａの間に支点軸２８が設けられている。該支点軸２８にロッド２７が回動自在に軸支され、両ブラケット２６がロッド２７によって連結されている。ジョイントロッド２３は上記のように１つの杆（ロッド２７）の両端側に、２つの杆（２つのボルト２４）が回動自在に連結されて構成され、２箇所の支点軸２８をそれぞれ軸心として２カ所で屈曲が可能となっている。
【００２９】
ジョイントロッド２３のボルト２４を磁気流体活性化ユニット１のブラケット８の取付孔９に挿入することによってジョイントロッド２３を磁気流体活性化ユニット１に直接取り付けることができる他、ジョイントロッド２３のボルト２４をジョイント１１の連結ボルト孔１３に挿入し、ナット固定することによって、ジョイントロッド２３を磁気流体活性化ユニット１にジョイント１１を介して取り付けることができる。ボルト２４に取り付けられるナットの位置によってジョイントロッド２３による連結長さが調節される。
【００３０】
なお本実施形態においては２つのジョイントロッド２３が連結杆２９によって一体的に連結されている。このため本実施形態においては、ジョイントロッドを上記ジョイントに取り付ける場合は、ジョイントに２つの連結ボルト孔１３を設ける必要がある。
【００３１】
以上により、図８に示されるように、前述のように連結された複数の磁気流体活性化ユニット１をパイプ１８の周方向に各配置し、連結の両端に位置する磁気流体活性化ユニット１Ｅの間の距離が、ブラケット１１とボルト１６による連結が不可能な長さとなる場合でも、連結の両端に位置する磁気流体活性化ユニット１Ｅに上記のようにボルト孔１３を２つ設けたジョイント１１を取り付け、前述のボルト１６に代えて本ジョイントロッド２３を使用することによって、両磁気流体活性化ユニット１Ｅを連結締結することが可能となる。
【００３２】
この場合ジョイントロッド２３が２箇所で屈曲するため、取り付けの自由度が向上する他、ジョイントロッド２３をパイプ１８に円滑に沿わせることができ、美観を向上させることもできる。また上記補助的な連結具（連結プレート１９，ジョイントロッド２３）によって、複数の磁気流体活性化ユニット１のパイプ１８への取付のバリエーションを増加させることができる。
【００３３】
一方図９に示されるように、連結杆２９によって１組をなすジョイントロッド２３を磁気流体活性化ユニット１の左右のブラケット８に１組づつ取り付け、パイプ１８を挟持するように２つの磁気流体活性化ユニット１を連結して取り付けることもできる。この際ジョイントロッド２３のボルト２４は取付孔９とのガタの範囲で傾斜が可能である。
【００３４】
これによりパイプ１８の径が左右のフランジ８の取付孔９の間の距離より大きい場合でも、ジョイントロッド２３を傾斜させると共に、ジョイントロッド２３を前述のように２箇所で屈曲させることによって、上記パイプ１８を挟持するように磁気流体活性化ユニット１を取り付けることができる。
【図面の簡単な説明】
【００３５】
【図１】磁気流体活性化ユニットの斜視図である。
【図２】ジョイントの斜視図である。
【図３】ジョイントを取り付けた状態の磁気流体活性化ユニットの斜視図である。
【図４】磁気流体活性化ユニットを連結してパイプに取り付けた状態を示す斜視図である。
【図５】連結プレートの斜視図である。
【図６】連結された磁気流体活性化ユニットを連結プレートを介してパイプに取り付けた状態を示す斜視図である。
【図７】ジョイントロッドの斜視図である。
【図８】連結された磁気流体活性化ユニットをジョイントロッドを介してパイプに取り付けた状態を示す斜視図である。
【図９】ジョイントロッドによってパイプを挟持するように磁気流体活性化ユニットをパイプに取り付けた状態を示す斜視図である。
【符号の説明】
【００３６】
１      磁気流体活性化ユニット（磁気流体活性化装置）
１Ｅ    連結の両端に位置する磁気流体活性化装置（磁気流体活性化装置）
１１    ジョイント
１１ａ  取付部
１１ｂ  連結部
１６    ボルト（連結具）
１８    パイプ
１９    連結プレート（プレート）
２１    取付部
２３    ジョイントロッド（棒体）
２４    ボルト（ロッド）
２７    ロッド
【図１】
2005313103.tif 000003
【図２】
2005313103.tif 000004
【図３】
2005313103.tif 000005
【図４】
2005313103.tif 000006
【図５】
2005313103.tif 000007
【図６】
2005313103.tif 000008
【図７】
2005313103.tif 000009
【図８】
2005313103.tif 000010
【図９】
2005313103.tif 000011